(57)【要約】      （修正有）【課題】コストを上げずに低照度の試験時でも液晶表示部の表示が読み取りやすい測定部と表示部を一体化した耐候性試験機用測定器を提供する。【解決手段】試料と同様の位置に設置され、測定を行う耐候性試験機用測定器であって、液晶表示部２を有し、かつ、耐候性試験時に光源から光を受ける面の一部に設けた外光導入口４から光源の光を透過させてバックライト照明として利用し、液晶表示部２の表示を読み取りやすくする耐候性試験機用測定器。【選択図】図２
0003183970.tif 000002
【実用新案登録請求の範囲】
【請求項１】
液晶表示部を有し、耐候性試験時に光源から光を受ける面の一部に外光導入口を設け、前記外光導入口から入射した光を前記液晶表示部の照明として用いることを特徴とする耐候性試験機用測定器。
【請求項２】
前記外光導入口に紫外線カットフィルタ及び光量調整フィルタを設けることを特徴とする請求項1に記載の耐候性試験機用測定器。
【考案の詳細な説明】
【技術分野】
【０００１】
本考案は、耐候性試験機用測定器に関する。更に詳しくは、液晶表示部の裏側から光源の光を透過させて表示部の読み取りを容易にする耐候性試験機用測定器に関するものである。
【０００２】
耐候性試験機は、所定の放射照度の光を試料に照射して所定の温度及び湿度のもとで促進劣化させることによって試料の寿命を短時間で求めるものである。
【０００３】
耐候性試験時の放射照度や温度の測定は、試料と同様の位置に受光部や測温体が配置されるように放射照度計及びブラックパネル温度計を試料ホルダに設置し、観察窓から試料ホルダの外側に向けられた放射照度計及びブラックパネル温度計の液晶表示部に示された測定値を目視で読み取っている。
【０００４】
特許文献１では、耐候性試験機用温度計の液晶表示部を読み取りやすくするために、裏面方向から受けた光を反射して液晶表示部を照らす反射手段を有する技術が記載されている。
【０００５】
【特許文献１】特開２００５−１１４６５１
【考案の開示】
【考案が解決しようとする課題】
【０００６】
しかしながら、従来の耐候性試験機用測定器では、液晶表示部を観察窓から目視した際に、光源の光が逆光になってしまう場合や、低照度試験時のように試験槽内が暗くなってしまう場合に、液晶表示部が見えづらくなってしまい測定値の読み取りが困難なことがあった。これらの不都合を解決するために、液晶表示部を読み取りやすくする手段として反射板や照明を設けるものもあるが、コストが高いという問題があった。
【０００７】
また、耐候性試験機用測定器によっては、データをケーブルや無線等で試験機の本体に送って試験機の表示部で測定結果を表示するものもあるが、試験槽内にケーブルや無線機等を取り付けるとそれらが光により劣化する恐れがあるという問題があった。更に、データを試験機本体に送る際に、通信時のノイズなどによる不確かさが増大する問題があった。そのため、放射照度やブラックパネル温度を正確に測定するために、特に試験機に組み込まれた受光器やブラックパネル温度計の校正を行う標準器として用いる場合において、一般に計測部と表示部が一体型の耐候性試験機用測定器を用いることが望ましい。
【０００８】
本考案は、かかる問題を鑑みてなされ、本考案の目的は、コストを上げずに液晶表示部の表示が読み取りやすい耐候性試験機用測定器を提供することである。
【課題を解決するための手段】
【０００９】
上記目的を達成するために、本考案の耐候性試験機用測定器は、液晶表示部を有し、耐候性試験時に光源から光を受ける面の一部に外光導入口を設け、前記外光導入口から入射した光を前記液晶表示部の照明として用いることを特徴とする。
【００１０】
また、前記外光導入口に紫外線カットフィルタ及び光量調整フィルタを設けることを特徴とする。
【考案の効果】
【００１１】
本考案の耐候性試験機用測定器は、コストを上げずに、液晶表示部の裏側から光源の光を透過させることで液晶表示部を読み取りやすくすることができる。なお、本考案によれば、劣化の原因となるようなケーブルや無線機等を使用せずに、試験に用いる光源の光を有効利用して読み取りやすさを向上させることができ、計測部と表示部が一体型のため、不確かさを小さくすることができる。
【００１２】
また、本考案の耐候性試験機用測定器は、照明として用いる光源の光を取り入れる際に紫外線カットフィルタで紫外線を減少させることにより液晶表示部の劣化を防止し、光量調整フィルタで透過させる光量の調節を行うことができる。
【実施例１】
【００１３】
本考案の耐候性試験機用測定器として放射照度計１を用いて説明する。
図１（ａ）は、本考案の耐候性試験機用測定器である放射照度計１の正面図、（ｂ）は、裏面図である。
【００１４】
放射照度計1は、本体の正面に液晶表示部２と操作部３を有し、裏面に外光導入口４と受光部５を有する。操作部３で測定時の設定を行い、受光部５で光を受光し、図示していないが計測部で放射照度を計測し、液晶表示部２で放射照度の値を表示する。このとき、裏面に設けられた外光導入口４から導入された光を液晶表示部２のバックライト照明として利用する。
【００１５】
図２は、放射照度計１の側面図である。放射照度計１の裏面に設けられた外光導入口４には、紫外線カットフィルタ６と光量調整フィルタ７が設けられている。紫外線カットフィルタ６を設けることにより、紫外線による放射照度計１の液晶表示部２の劣化を防止することができる。また、光量調整フィルタ７を設けて、より液晶表示部２を読み取りやすくするために外光導入口４から導入された光量を調整する。
【００１６】
図３は、耐候性試験機８に放射照度計１を搭載した図である。
耐候性試験機８は、試験槽９内の中央に光源１０を有し、光源１０の周囲を回転する試料枠１１を配置している。試料枠１１には試料１２と共に、放射照度計１が試験中に観察窓１３から液晶表示部２を読み取れるように正面部を観察窓１３に向け、裏面の受光部５が光源１０に対して試料１２と同等の位置で光を受光するように載置されている。
【００１７】
本実施例では、耐候性試験機８に放射照度計１を搭載して試験を行ったが、例えば耐候性試験機組み込み型放射照度計（被校正器とする）の校正に利用することも可能である。具体的には、耐候性試験機８の試料枠１１に組み込み型放射照度計の受光器と放射照度計１を搭載し、光源の放射が安定した後、一定時間放射照度を測定し、両者の値を比較、補正する方法で行われる。
【００１８】
本実施例では、放射照度計を用いて説明を行ったが、例えば、ブラックパネル温度計やブラックスタンダード温度計など耐候性試験機に用いる測定器で液晶表示部を有する機器であれば応用可能であり、放射照度計に限定されるものではない。
【図面の簡単な説明】
【００１９】
【図１】本考案の耐候性試験機用測定器である放射照度計の図である。
【図２】放射照度計の側面図である。
【図３】放射照度計を搭載した耐候性試験機の断面図である。
【符号の説明】
【００２０】
１   放射照度計
２   液晶表示部
３   操作部
４   外光導入口
５   受光部
６   紫外線カットフィルタ
７   光量調整フィルタ
８   耐候性試験機
９   試験槽
１０ 光源
１１ 試料枠
１２ 試料
１３ 観察窓
【図１】
0003183970.tif 000003
【図２】
0003183970.tif 000004
【図３】
0003183970.tif 000005